(57)【要約】【課題】バッテリ駆動可搬型呼吸用気体供給装置のバッテリ切れの不安を解消でき、予備バッテリの携行や大型バッテリの使用を回避でき、患者が安心して外出できるようにする。【解決手段】バッテリ駆動可搬型呼吸用気体供給装置のバッテリ残電力量に関する情報を特定情報検出装置が検出し、所定の場合に、バッテリ手配のためのバッテリ情報サービス装置にこの情報を送信し、バッテリ情報サービス装置が、特定情報検出装置から送信された情報を受信し、この情報とバッテリ駆動可搬型呼吸用気体供給装置の地理的位置情報とから、バッテリ駆動可搬型呼吸用気体供給装置の充電済みバッテリを保管および配達するための特定のバッテリステーションを選択し、選択されたバッテリステーションにバッテリ駆動可搬型呼吸用気体供給装置の地理的位置情報を送信し、選択されたバッテリステーションがバッテリ駆動可搬型呼吸用気体供給装置の使用者および／またはバッテリを当該使用者の下に配達するバッテリ配達交換担当者に必要な情報を送信する。【選択図】  なし【特許請求の範囲】
【請求項１】
複数の地理的位置に充電済みバッテリを保管および配達するためのバッテリステーションを配置し、
バッテリ駆動可搬型呼吸用気体供給装置のバッテリの残電力量に関する情報を特定情報検出装置が検出し、所定の場合に、バッテリ手配のためのバッテリ情報サービス装置にこの情報を送信し、
当該バッテリ情報サービス装置が、当該特定情報検出装置から送信された情報を受信し、この情報と当該バッテリ駆動可搬型呼吸用気体供給装置の地理的位置情報とから、特定のバッテリステーションを選択し、選択されたバッテリステーションに当該バッテリ駆動可搬型呼吸用気体供給装置の地理的位置情報を送信し、
当該選択されたバッテリステーションが当該バッテリ駆動可搬型呼吸用気体供給装置の使用者および／またはバッテリを当該使用者の下に配達するバッテリ配達交換担当者に必要な情報を送信することを含む、バッテリ駆動可搬型呼吸用気体供給装置のバッテリ手配方法。
【請求項２】
前記特定情報検出装置が、前記バッテリ駆動可搬型呼吸用気体供給装置の地理的位置情報を検出し、前記バッテリ情報サービス装置にこの情報を送信することを含む、
請求項１に記載のバッテリ駆動可搬型呼吸用気体供給装置のバッテリ手配方法。
【発明の詳細な説明】
【０００１】
【発明の属する技術分野】
本発明は、呼吸器疾患患者等のバッテリ駆動可搬型呼吸用気体供給装置の使用者に呼吸用気体を供給するためのバッテリ駆動可搬型呼吸用気体供給装置のバッテリ手配方法、バッテリ手配システムおよび、このバッテリ手配方法を実行するためのコンピュータプログラムに関する。なお、呼吸用気体供給装置は通常酸素を濃縮した気体を呼吸器疾患患者に供給する装置であるため、単に酸素濃縮器と呼称される場合もある。
【０００２】
【従来の技術】
従来、呼吸器疾患の患者に対して酸素ボンベから供給する酸素療法が行われており、最近では空気中の酸素を分離濃縮して酸素濃縮気体を得るための呼吸用気体供給装置が開発され、それを用いた酸素療法が次第に普及するようになって来ている。
【０００３】
かかる呼吸用気体供給装置としては、例えば窒素を選択的に吸着し得る吸着剤を酸素濃縮手段として用いた吸着型呼吸用気体供給装置や、酸素選択透過性膜を酸素濃縮手段として用いた膜型呼吸用気体供給装置がある。前者は主に酸素濃度が９０体積％程度の酸素濃度の気体を供給するのに適しており、後者は主に酸素濃度が４０体積％程度の酸素濃度の気体を供給するのに適しているものであったが、技術の進歩と共にその境界は曖昧になってきている。また、その他に固体電解質法による酸素濃縮装置も知られている。
【０００４】
かかる呼吸用気体供給装置は、病院において利用されるのみならず、在宅医療用に家庭においても利用される場合が次第に多くなってきている。
【０００５】
家庭で使用される呼吸用気体供給装置は小型化が進み、在宅医療を受ける患者が、呼吸用気体供給装置を帯同して外出することも可能になりつつある（たとえば特許文献１参照。）。この可搬型呼吸用気体供給装置にバッテリ駆動のものがある。
【０００６】
しかしながら、バッテリ駆動可搬型呼吸用気体供給装置はバッテリ残電力量不足の恐れのため、予備バッテリを携行するか、大型バッテリを使用するかの必要性があった。そのいずれの場合も重量増の問題を招く。
【０００７】
【特許文献１】
特開２００２−２５３６７７号公報（段落番号０００３〜０００７）
【０００８】
【発明が解決しようとする課題】
本発明は、このような問題を解決し、バッテリ切れの不安を解消でき、予備バッテリの携行や大型バッテリの使用を回避でき、患者が安心して外出できるようにする、バッテリ駆動可搬型呼吸用気体供給装置のバッテリ手配方法、バッテリ手配システムおよび、このバッテリ手配方法を実行するためのコンピュータプログラムを提供することを目的としている。本発明のさらに他の目的および利点は、以下の説明から明らかになるであろう。
【０００９】
【課題を解決するための手段】
本発明の一態様によれば、複数の地理的位置に充電済みバッテリを保管および配達するためのバッテリステーションを配置し、バッテリ駆動可搬型呼吸用気体供給装置のバッテリの残電力量に関する情報を特定情報検出装置が検出し、所定の場合に、バッテリ手配のためのバッテリ情報サービス装置にこの情報を送信し、当該バッテリ情報サービス装置が、当該特定情報検出装置から送信された情報を受信し、この情報と当該バッテリ駆動可搬型呼吸用気体供給装置の地理的位置情報とから、特定のバッテリステーションを選択し、選択されたバッテリステーションに当該バッテリ駆動可搬型呼吸用気体供給装置の地理的位置情報を送信し、当該選択されたバッテリステーションが当該バッテリ駆動可搬型呼吸用気体供給装置の使用者および／またはバッテリを当該使用者の下に配達するバッテリ配達交換担当者に必要な情報を送信することを含むバッテリ駆動可搬型呼吸用気体供給装置のバッテリ手配方法が提供される。
【００１０】
このような方法を採用することにより、バッテリ駆動可搬型呼吸用気体供給装置の使用者は、近所に外出するような近距離の外出はもとより、旅行等の長距離の外出においても、バッテリ切れの不安から解放され、予備バッテリの携行や大型バッテリの使用を回避でき、安心して外出できるようになる。
【００１１】
本発明の他の一態様によれば、バッテリ駆動可搬型呼吸用気体供給装置と当該バッテリ駆動可搬型呼吸用気体供給装置に付設する特定情報検出装置とバッテリ手配のためのバッテリ情報サービス装置と複数の地理的位置に配置された、充電済みバッテリを保管および配達するためのバッテリステーションとを含む、バッテリ駆動可搬型呼吸用気体供給装置のバッテリ手配システムであって、当該複数のバッテリステーションの情報通信端末が、充電済みバッテリの配達が可能か否かのアクセス可否情報を当該バッテリ情報サービス装置に送信でき、当該特定情報検出装置が、当該バッテリの残電力量に関する情報を検出して、当該バッテリ情報サービス装置にこの情報を送信でき、当該バッテリ情報サービス装置が、当該特定情報検出装置から送信された情報を受信し、この情報と当該バッテリ駆動可搬型呼吸用気体供給装置の地理的位置情報とアクセス可否情報とから特定のバッテリステーションを選択し、選択されたバッテリステーションに当該バッテリ駆動可搬型呼吸用気体供給装置の地理的位置情報を送信でき、当該選択されたバッテリステーションが当該バッテリ駆動可搬型呼吸用気体供給装置の使用者および／またはバッテリを当該使用者の下に配達するバッテリ配達交換担当者に必要な情報を送信することができる、バッテリ駆動可搬型呼吸用気体供給装置のバッテリ手配システムが提供される。
【００１２】
このようなシステムを使用することにより、バッテリ駆動可搬型呼吸用気体供給装置の使用者は、近所に外出するような近距離の外出はもとより、旅行等の長距離の外出においても、バッテリ切れの不安を解消でき、予備バッテリの携行や大型バッテリの使用を回避でき、安心して外出できるようになる。
【００１３】
上記の方法とシステムとにおいて、前記特定情報検出装置が、前記バッテリ駆動可搬型呼吸用気体供給装置の地理的位置情報を検出し、前記バッテリ情報サービス装置にこの情報を送信できること、前記バッテリ残電力量に関する情報が、バッテリ残電力量が所定の閾値を下回ったことを示す情報であること、前記バッテリ残電力量の所定の閾値を、前記バッテリ駆動可搬型呼吸用気体供給装置の地理的位置情報に応じて変更できること、前記バッテリ情報サービス装置が、前記バッテリステーションの地理的位置情報に関する課金情報を生成できることが好ましい。
【００１４】
本発明のさらに他の一態様によれば、バッテリ駆動可搬型呼吸用気体供給装置のバッテリの残電力量に関する情報を特定情報検出装置が検出し、所定の場合に、バッテリ手配のためのバッテリ情報サービス装置にこの情報を送信し、当該バッテリ情報サービス装置が、当該特定情報検出装置から送信された情報を受信し、この情報と当該バッテリ駆動可搬型呼吸用気体供給装置の地理的位置情報とから、特定のバッテリステーションを選択し、選択されたバッテリステーションに当該バッテリ駆動可搬型呼吸用気体供給装置の地理的位置情報を送信し、当該選択されたバッテリステーションが当該バッテリ駆動可搬型呼吸用気体供給装置の使用者および／またはバッテリを当該使用者の下に配達するバッテリ配達交換担当者に必要な情報を送信する手続きを、バッテリ駆動可搬型呼吸用気体供給装置と当該バッテリ駆動可搬型呼吸用気体供給装置に付設する特定情報検出装置とバッテリ手配のためのバッテリ情報サービス装置と複数の地理的位置に配置された、充電済みバッテリを保管および配達するためのバッテリステーションとを含むバッテリ駆動可搬型呼吸用気体供給装置のバッテリ手配システム上で実行させるためのコンピュータプログラムが提供される。
【００１５】
このプログラムを採用すれば、バッテリ駆動可搬型呼吸用気体供給装置の使用者が、近所に外出するような近距離の外出はもとより、旅行等の長距離の外出においても、予備バッテリの携行や大型バッテリの使用を回避でき、安心して外出できるようになるバッテリ手配システムを容易に普及させることができる。
【００１６】
【発明の実施の形態】
以下に、本発明の実施の形態を図等を使用して説明する。なお、これらの図等及び説明は本発明を例示するものであり、本発明の範囲を制限するものではない。本発明の趣旨に合致する限り他の実施の形態も本発明の範疇に属し得ることは言うまでもない。
【００１７】
図１は、本発明に係るバッテリ駆動可搬型呼吸用気体供給装置の構造をモデル的に表した図である。なお、本装置における部品は省略できる場合もある。逆に以下の説明にはない部品を設置することもできる。
【００１８】
図１において、バッテリ駆動可搬型呼吸用気体供給装置１１にある、窒素を選択的に吸着し得る吸着剤１２を充填した１基または２基以上の吸着筒１３は、空気から酸素濃度の高められた酸素濃縮気体を分離するための酸素濃縮手段の主要部分である。
【００１９】
コンプレッサ１４から、流路切替弁１５を介してこの吸着筒１３に圧縮空気が供給される。
【００２０】
吸着筒１３で吸着されなかった酸素を含むガス、すなわち酸素濃縮空気、は、サージタンク１６に貯留され、流量設定器１７により酸素供給量を一定に調節した後、加湿器１８で加湿され、鼻カニューラ１９を介してバッテリ駆動可搬型呼吸用気体供給装置の使用者に供給される。
【００２１】
さらに必要に応じて、コンプレッサ等のポンプ手段を冷却するための冷却風を生じさせるための冷却ファン２０が具備される。
【００２２】
これらの部品の内、コンプレッサ等の駆動制御部分の駆動や酸素流量等の情報表示には、図１には図示されていないバッテリを使用することができる。通常、バッテリには、その残電力量を示すインジケータが付設される。
【００２３】
本発明によれば、複数の地理的位置に充電済みバッテリを保管および配達するためのバッテリステーションを配置し、バッテリ駆動可搬型呼吸用気体供給装置のバッテリ残電力量に関する情報を特定情報検出装置が自動的に検出し、その情報をバッテリ手配のためのバッテリ情報サービス装置に送信し、受信したバッテリ情報サービス装置が、その情報と当該バッテリ駆動可搬型呼吸用気体供給装置の地理的位置情報とから、特定のバッテリステーションを選択し、選択されたバッテリステーションに当該バッテリ駆動可搬型呼吸用気体供給装置の地理的位置情報を送信し、当該選択されたバッテリステーションが当該バッテリ駆動可搬型呼吸用気体供給装置の使用者および／またはバッテリを当該使用者の下に配達するバッテリ配達交換担当者に必要な情報を送信する。なお、バッテリ手配とは、具体的には、放電バッテリを充電済みバッテリに交換するための手配を意味する。
【００２４】
このことにより、外出中の、バッテリ駆動可搬型呼吸用気体供給装置の使用者は、近所に外出するような近距離の外出はもとより、旅行等の長距離の外出においても、バッテリ切れの心配から解放され、必要なときに、適切なバッテリステーションからのサービスを受けることが可能となる。
【００２５】
ここで、特定情報検出装置としては、バッテリ駆動可搬型呼吸用気体供給装置のバッテリ残電力量に関する情報を自動的に検出し、その情報を、所定の場合に、バッテリ手配のためのバッテリ情報サービス装置に送信できるものであればどのようなものでもよい。コンピュータを利用することも可能である。また、バッテリ駆動可搬型呼吸用気体供給装置のバッテリ残電力量に関する情報を自動的に検出できる限り、必ずしもバッテリ駆動可搬型呼吸用気体供給装置と一体化している必要はないが、バッテリ駆動可搬型呼吸用気体供給装置と近い位置にあることが好ましい場合が多い。すなわち、バッテリ駆動可搬型呼吸用気体供給装置に付設していることが好ましい場合が多い。
【００２６】
バッテリ残電力量に関する情報としては、バッテリの交換の時期を知るための情報であればどのようなものでもよい。バッテリ残電力量そのものであってもよく、所定の閾値以下であるかどうかの情報であってもよい。複数の情報、たとえば、バッテリ残電力量、所定の閾値以下であるかどうかの情報、前回のバッテリの交換の時期からの経過時間等を適宜選択し、組み合わせて使用してもよい。どのような場合に情報を送信するかも、任意に定めることができる。バッテリ残電力量そのものを一定の時間間隔で送信する方法であっても、所定の閾値以下になった時に初めて送信する方法でもよい。
【００２７】
バッテリ情報サービス装置にこの情報を送信する手段としては、公知のどのような手段を使用してもよい。インターネットを利用することもできる。送信する情報にはバッテリ残電力量に関する情報以外のどのような情報を含めてもよい。
たとえば、このバッテリ駆動可搬型呼吸用気体供給装置の使用者が呼吸用気体供給装置を必要とする緊急度レベルに関する情報、バッテリ駆動可搬型呼吸用気体供給装置の地理的位置情報、酸素濃縮手段内の圧力が下限を下回ったり、上限を上回ったり、呼吸用気体の流量が所定範囲を外れたり、呼吸用気体中の酸素濃度が所定範囲を外れたりした場合の情報を含めることができる。
【００２８】
バッテリ手配のためのバッテリ情報サービス装置は、これらの情報とバッテリ駆動可搬型呼吸用気体供給装置の地理的位置情報とから、バッテリ駆動可搬型呼吸用気体供給装置に充電済みバッテリを配達可能な特定のバッテリステーションを選択する。
【００２９】
上記したように、バッテリ駆動可搬型呼吸用気体供給装置の地理的位置情報を特定情報検出装置から得ることもできる。また、ＧＰＳ（衛星航法システム）や、車のナビゲーションシステムを利用して、バッテリ駆動可搬型呼吸用気体供給装置の地理的位置を直接検出してもよい。なお、特定情報検出装置が送信する場合は、音声情報、文字情報、画像情報を使用することができる。
【００３０】
バッテリ情報サービス装置としては、本発明の機能を果たせるものである限り、どのようなものでもよく、コンピュータを利用することも可能である。通常、一台のバッテリ情報サービス装置で複数の特定情報検出装置と応答する。
【００３１】
充電済みバッテリの配達が可能な特定のバッテリステーションの選択はどのような手順によってもよい。たとえば、バッテリ残電力量が所定の閾値を下回った場合に、バッテリ駆動可搬型呼吸用気体供給装置に最も近いバッテリステーションを選択する方法がある。複数のバッテリステーションを選択してもよい。
【００３２】
また、交通の混雑に関する情報を加味して、バッテリ駆動可搬型呼吸用気体供給装置の地理的位置から見て、充電済みバッテリの配達が時間的に可能なバッテリステーションの中から時間的余裕の大きい順にバッテリステーションを選択することもできる。
【００３３】
この際、バッテリ残電力量の所定の閾値を、バッテリ駆動可搬型呼吸用気体供給装置の地理的位置情報に応じて変更できるようにしておくと、バッテリ駆動可搬型呼吸用気体供給装置の使用者は、予め、バッテリの交換が必要になることを認識することができ、外出時における自分の移動スケジュールに合わせて、適切なバッテリステーションを選択できる等の利点が得られるため、好ましい場合が多い。バッテリ残電力量の所定の閾値を、バッテリ駆動可搬型呼吸用気体供給装置の地理的位置情報に応じて変更できる機能を、上記特定情報検出装置が有するようにすることもできる。このバッテリ駆動可搬型呼吸用気体供給装置の地理的位置情報としては、バッテリ駆動可搬型呼吸用気体供給装置から最も近い地理的位置にあるバッテリステーションとの距離を使用することができる。たとえば、この距離が大きい場合には、上記閾値を高めにし、この距離が小さい場合には、上記閾値を低めにすることが考えられる。
【００３４】
各バッテリステーションの地理的位置情報等やどのバッテリステーションが利用可能であるか等の情報は、予めバッテリ情報サービス装置に入力する等の手段により、バッテリ情報サービス装置が利用できるようにすることができる。この際、選択されるバッテリステーションが、選択された日や必要であれば選択された時に、充電済みバッテリの配達が可能か否かのアクセス可否情報を含めることが重要である。選択されたサービスステーションが当日休業日である等の不都合を避けるためである。バッテリステーションに配置された情報通信端末が、このアクセス可否情報をバッテリ情報サービス装置に送信入力できるようになっていることが好ましい。この情報通信端末としては本発明の目的に合致する限りどのようなものでもよい。たとえばパーソナルコンピュータを好適に使用できる。
【００３５】
バッテリステーションは、充電済みバッテリを保管し、バッテリ配達交換担当者に提供する機能を有する限り、どのような場所に配置されてもよい。コンビニエンスストアや給油所に配置されるのが有利であると思われる。通常、バッテリステーションは、放電済みバッテリを充電し、充電済みバッテリとする機能も有する。
【００３６】
本発明においては、このようにして選択されたバッテリステーションに、たとえば上記情報通信端末を利用して、このバッテリ駆動可搬型呼吸用気体供給装置の地理的位置情報を送信する。バッテリステーションにこの情報を送信する手段としては、公知のどのような手段を使用してもよい。インターネットを利用することもできる。
【００３７】
同時に他の情報を送信することもでき、好ましい場合が多い。たとえば、このバッテリ駆動可搬型呼吸用気体供給装置の使用者が呼吸用気体供給装置を必要とする緊急度レベルに関する情報、バッテリ駆動可搬型呼吸用気体供給装置の地理的位置情報、バッテリ駆動可搬型呼吸用気体供給装置の使用者の携帯電話の番号、酸素濃縮手段内の圧力が下限を下回ったり、上限を上回ったり、呼吸用気体の流量が所定範囲を外れたり、呼吸用気体中の酸素濃度が所定範囲を外れたりした場合の情報、複数のバッテリステーションがある場合にその旨の情報等を含めることができる。
【００３８】
このようにして選択されたバッテリステーションは、バッテリ駆動可搬型呼吸用気体供給装置の使用者に必要な情報を送信する。この必要な情報には、どのような情報を含めてもよい。たとえば、そのバッテリステーションの地理的位置情報を含めることができる。逆に、バッテリステーションがバッテリ情報サービス装置からバッテリ駆動可搬型呼吸用気体供給装置の地理的位置情報を入手できる場合は、その場所に所定時間内に交換用バッテリ（充電済みバッテリ）を配送できる旨の情報でもよい。その両方を採用することもできる。
【００３９】
あるいはまた、上記の手順を経て選択されたバッテリステーションは、バッテリ駆動可搬型呼吸用気体供給装置の使用者の下へ充電済みバッテリを配達しバッテリの交換を行うバッテリ配達交換担当者に必要な情報を送信する。バッテリ駆動可搬型呼吸用気体供給装置の使用者とバッテリ配達交換担当者との両方に必要な情報を送信する場合もある。
【００４０】
バッテリ配達交換担当者についての必要な情報には、バッテリ切れを起こして、交換用の充電済みバッテリの到着を待つ上記使用者の居場所を含めることが好ましいが、その他のどのような情報を含めてもよい。たとえば、上記使用者の氏名、年齢、性別など、使用者を特定するのに有効な情報、使用者が使っている上記バッテリ駆動可搬型呼吸用気体供給装置の機種名、必要なバッテリの品番、バッテリ切れが発生してから現在までの経過時間の情報、使用者の普段の居住地の情報、使用者の家族など同居者の情報、使用者と別居している使用者の家族の情報などを挙げることができる。
【００４１】
これらの情報は、バッテリ駆動可搬型呼吸用気体供給装置の使用者の携帯電話、特定情報検出装置等や、バッテリ配達交換担当者が携行していたり、あるいはバッテリステーションやその他のバッテリ配達交換担当者の常駐場所に設置される情報受信装置や表示装置に対する送信により、バッテリ配達交換担当者に知らされる。これらの情報受信装置や表示装置は携帯電話、ＰＨＳ（パーソナル・ハンディホン・システム）端末、モバイルコンピュータ、パーソナルコンピュータなど、どのようなものでもよい。音声情報、文字情報、画像情報のいずれも使用することができる。
【００４２】
また、上記バッテリ配達交換担当者は、専用の担当者でもよいが、タクシー業者、宅配便配送業者なと、既存の輸送、物流のインフラストラクチャを利用可能な汎用輸送業者であることも好ましい形態である。
【００４３】
すなわち、使用者である患者の下へ配達すべき充電済みバッテリを積んだ、たとえばタクシーに乗務するタクシー運転士は、携帯電話など、所定の情報受信、表示装置を用いて、バッテリを届けるべき患者の居場所、患者の特徴などを知得することができ、迅速かつ確実に患者の下へ充電済みバッテリを配達することが可能となる。
【００４４】
このようにして、バッテリ配達交換担当者は、手元に利用できる充電済みバッテリがある場合には、直接バッテリ駆動可搬型呼吸用気体供給装置の使用者の下に充電済みバッテリを配達し、手元に利用できる充電済みバッテリがない場合には、バッテリステーションで充電済みバッテリを入手してから、バッテリ駆動可搬型呼吸用気体供給装置の使用者の下に充電済みバッテリを配達し、バッテリを交換する。
【００４５】
なお、バッテリ情報サービスの費用をバッテリ駆動可搬型呼吸用気体供給装置の使用者に請求するためには、バッテリ情報サービス装置が、バッテリステーションの地理的位置情報に関する課金情報を生成し得るようにしておくことが好ましい。
【００４６】
このような方法を採用することにより、バッテリ駆動可搬型呼吸用気体供給装置の使用者は、近所に外出するような近距離の外出はもとより、旅行等の長距離の外出においても、バッテリ切れの不安から解放され、予備バッテリの携行や大型バッテリの使用を回避でき、安心して外出できるようになる。
【００４７】
上記のバッテリ手配方法を実行するためのバッテリ手配システムは、バッテリ駆動可搬型呼吸用気体供給装置とバッテリ駆動可搬型呼吸用気体供給装置に付設する特定情報検出装置とバッテリ手配のためのバッテリ情報サービス装置と複数の地理的位置に配置された、充電済みバッテリを保管および配達するためのバッテリステーションとを含み、複数のバッテリステーションの情報通信端末が、充電済みバッテリの配達が可能か否かのアクセス可否情報をバッテリ情報サービス装置に送信でき、特定情報検出装置が、バッテリの残電力量に関する情報を検出して、バッテリ情報サービス装置にこの情報を送信でき、バッテリ情報サービス装置が、特定情報検出装置から送信された情報を受信し、この情報とバッテリ駆動可搬型呼吸用気体供給装置の地理的位置情報とアクセス可否情報とから特定のバッテリステーションを選択し、選択されたバッテリステーションにバッテリ駆動可搬型呼吸用気体供給装置の地理的位置情報を送信でき、選択されたバッテリステーションがバッテリ駆動可搬型呼吸用気体供給装置の使用者および／またはバッテリを当該使用者の下に配達するバッテリ配達交換担当者に必要な情報を送信することができるようになっている。この場合の特定情報検出装置やバッテリ情報サービス装置やバッテリステーションの情報通信端末には、上記のバッテリ手配方法で説明した機能を持たせることができる。
【００４８】
バッテリ残電力量に関する情報が、バッテリ残電力量が所定の閾値を下回ったことを示す情報であることや、バッテリ残電力量の所定の閾値を、バッテリ駆動可搬型呼吸用気体供給装置の地理的位置情報に応じて変更できることが好ましいのは前述の通りである。
【００４９】
ここで、本発明に係るバッテリ手配システムを、図２を使用して説明する。図２において、バッテリ駆動可搬型呼吸用気体供給装置２０１には、そのバッテリ残電力量に関する情報を検出し、所送信するための特定情報検出装置２０２が付設されている。
【００５０】
図２では、所定のエリアをカバーするバッテリ手配のためのバッテリ情報サービス装置２０３が複数の特定情報検出装置２０２からバッテリ残電力量に関する情報を受信し、バッテリ駆動可搬型呼吸用気体供給装置の使用者の地理的位置に関する情報を入手し、充電済みバッテリである交換用バッテリ２０８を有するバッテリステーション２０６のうちから一つのバッテリステーション２０６Ａを選択し、バッテリステーション２０６Ａに、バッテリ駆動可搬型呼吸用気体供給装置２０１の地理的位置情報を送信し、バッテリステーション２０６Ａの情報通信端末２０７Ａがバッテリ駆動可搬型呼吸用気体供給装置２０１の使用者が所有する携帯電話２０５にｅメールで必要な情報を送信するとともにバッテリ駆動可搬型呼吸用気体供給装置の使用者の下へ充電済みバッテリを配達する車両２０９のバッテリ配達交換担当者が携行するたとえば携帯電話に必要な情報を送信する様子を示している。図２には、ＧＰＳ用の人工衛星２０４も示されている。
【００５１】
このようなシステムにおけるバッテリ手配方法を図２と図３のフローチャートとを用いて例示的に説明する。この例では、単純化のため、バッテリ残電力量が所定の閾値を下回った場合にその旨の情報を送信するものとする。
【００５２】
まず、ステップＳ１に従って、バッテリ駆動可搬型呼吸用気体供給装置２０１のバッテリ残電力量が所定の閾値を下回ったことを示す情報を特定情報検出装置２０２が検出し、バッテリ情報サービス装置２０３にこの情報を送信する。
【００５３】
この情報を受信したバッテリ情報サービス装置２０３は、ステップＳ２に従って、この情報と人工衛星２０４のＧＰＳを利用して得られるバッテリ駆動可搬型呼吸用気体供給装置の地理的位置情報とから、充電済みバッテリの配達が可能な特定のバッテリステーションを選択する。各バッテリステーションの地理的位置情報等や充電済みバッテリの配達が可能か否かのアクセス可否情報等は、ステップＳ３に従って、バッテリステーション２０６Ａの情報通信端末２０７Ａにより、バッテリ情報サービス装置に送信される。
【００５４】
ついで、ステップＳ４に従って、バッテリステーション２０６Ａが情報通信端末２０７Ａを使用して、バッテリ駆動可搬型呼吸用気体供給装置の使用者の所有する携帯電話に、必要な情報を送信する。あるいは、バッテリステーション２０６Ａが情報通信端末２０７Ａを使用して、バッテリ駆動可搬型呼吸用気体供給装置の使用者の下へ充電済みバッテリを配達する車両２０９のバッテリ配達交換担当者が携行するたとえば携帯電話に、先に説明したようなあるいはその他の情報を送信する。
【００５５】
このようなシステムを使用することにより、バッテリ駆動可搬型呼吸用気体供給装置の使用者は、近所に外出するような近距離の外出はもとより、旅行等の長距離の外出においても、バッテリ切れの不安を解消でき、予備バッテリの携行や大型バッテリの使用を回避でき、安心して外出できるようになる。
【００５６】
なお、特定情報検出装置やバッテリ手配のためのバッテリ情報サービス装置やバッテリステーションの情報通信端末にコンピュータを使用し、上記の方法を上記システム上で実行するためのコンピュータプログラムを作成すれば、汎用のパーソナルコンピュータ等を使用することが可能となる。
【００５７】
なお、本発明を纏めると次の付記のようになる。
【００５８】
（付記１）  複数の地理的位置に充電済みバッテリを保管および配達するためのバッテリステーションを配置し、
バッテリ駆動可搬型呼吸用気体供給装置のバッテリの残電力量に関する情報を特定情報検出装置が検出し、所定の場合に、バッテリ手配のためのバッテリ情報サービス装置にこの情報を送信し、
当該バッテリ情報サービス装置が、当該特定情報検出装置から送信された情報を受信し、この情報と当該バッテリ駆動可搬型呼吸用気体供給装置の地理的位置情報とから、特定のバッテリステーションを選択し、選択されたバッテリステーションに当該バッテリ駆動可搬型呼吸用気体供給装置の地理的位置情報を送信し、
当該選択されたバッテリステーションが当該バッテリ駆動可搬型呼吸用気体供給装置の使用者および／またはバッテリを当該使用者の下に配達するバッテリ配達交換担当者に必要な情報を送信する
ことを含む、バッテリ駆動可搬型呼吸用気体供給装置のバッテリ手配方法。
【００５９】
（付記２）  前記特定情報検出装置が、前記バッテリ駆動可搬型呼吸用気体供給装置の地理的位置情報を検出し、前記バッテリ情報サービス装置にこの情報を送信することを含む、
付記１に記載のバッテリ駆動可搬型呼吸用気体供給装置のバッテリ手配方法。
【００６０】
（付記３）  前記バッテリの残電力量に関する情報が、バッテリ残電力量が所定の閾値を下回ったことを示す情報である、
付記１または２に記載のバッテリ駆動可搬型呼吸用気体供給装置のバッテリ手配方法。
【００６１】
（付記４）  前記バッテリ残電力量の所定の閾値を、前記バッテリ駆動可搬型呼吸用気体供給装置の地理的位置情報に応じて変更する、
付記１〜３のいずれかに記載のバッテリ駆動可搬型呼吸用気体供給装置のバッテリ手配方法。
【００６２】
（付記５）  前記バッテリ情報サービス装置が、前記バッテリステーションの地理的位置情報に関する課金情報を生成し得る、
付記１〜４のいずれかに記載のバッテリ駆動可搬型呼吸用気体供給装置のバッテリ手配方法。
【００６３】
（付記６）  バッテリ駆動可搬型呼吸用気体供給装置と当該バッテリ駆動可搬型呼吸用気体供給装置に付設する特定情報検出装置とバッテリ手配のためのバッテリ情報サービス装置と複数の地理的位置に配置された、充電済みバッテリを保管および配達するためのバッテリステーションとを含む、バッテリ駆動可搬型呼吸用気体供給装置のバッテリ手配システムであって、
当該複数のバッテリステーションの情報通信端末が、充電済みバッテリの配達が可能か否かのアクセス可否情報を当該バッテリ情報サービス装置に送信でき、当該特定情報検出装置が、当該バッテリの残電力量に関する情報を検出して、当該バッテリ情報サービス装置にこの情報を送信でき、
当該バッテリ情報サービス装置が、当該特定情報検出装置から送信された情報を受信し、この情報と当該バッテリ駆動可搬型呼吸用気体供給装置の地理的位置情報とアクセス可否情報とから特定のバッテリステーションを選択し、選択されたバッテリステーションに当該バッテリ駆動可搬型呼吸用気体供給装置の地理的位置情報を送信でき、
当該選択されたバッテリステーションが当該バッテリ駆動可搬型呼吸用気体供給装置の使用者および／またはバッテリを当該使用者の下に配達するバッテリ配達交換担当者に必要な情報を送信することができる、
バッテリ駆動可搬型呼吸用気体供給装置のバッテリ手配システム。
【００６４】
（付記７）  前記特定情報検出装置が、前記バッテリ駆動可搬型呼吸用気体供給装置の地理的位置情報を検出し、前記バッテリ情報サービス装置にこの情報を送信できる、
付記６に記載のバッテリ駆動可搬型呼吸用気体供給装置のバッテリ手配システム。
【００６５】
（付記８）  前記バッテリの残電力量に関する情報が、バッテリ残電力量が所定の閾値を下回ったことを示す情報である、
付記６または７に記載のバッテリ駆動可搬型呼吸用気体供給装置のバッテリ手配システム。
【００６６】
（付記９）  前記バッテリ残電力量の所定の閾値を、前記バッテリ駆動可搬型呼吸用気体供給装置の地理的位置情報に応じて変更できる、
付記６〜８のいずれかに記載のバッテリ駆動可搬型呼吸用気体供給装置のバッテリ手配システム。
【００６７】
（付記１０）  前記バッテリ情報サービス装置が、前記バッテリステーションの地理的位置情報に関する課金情報を生成できる、
付記６〜９のいずれかに記載のバッテリ駆動可搬型呼吸用気体供給装置のバッテリ手配システム。
【００６８】
（付記１１）  バッテリ駆動可搬型呼吸用気体供給装置のバッテリの残電力量に関する情報を特定情報検出装置が検出し、所定の場合に、バッテリ手配のためのバッテリ情報サービス装置にこの情報を送信し、
当該バッテリ情報サービス装置が、当該特定情報検出装置から送信された情報を受信し、この情報と当該バッテリ駆動可搬型呼吸用気体供給装置の地理的位置情報とから、特定のバッテリステーションを選択し、選択されたバッテリステーションに当該バッテリ駆動可搬型呼吸用気体供給装置の地理的位置情報を送信し、
当該選択されたバッテリステーションが当該バッテリ駆動可搬型呼吸用気体供給装置の使用者および／またはバッテリを当該使用者の下に配達するバッテリ配達交換担当者に必要な情報を送信する手続きを、
バッテリ駆動可搬型呼吸用気体供給装置と当該バッテリ駆動可搬型呼吸用気体供給装置に付設する特定情報検出装置とバッテリ手配のためのバッテリ情報サービス装置と複数の地理的位置に配置された、充電済みバッテリを保管および配達するためのバッテリステーションとを含むバッテリ駆動可搬型呼吸用気体供給装置のバッテリ手配システム上で実行させるためのコンピュータプログラム。
【００６９】
【発明の効果】
本発明により、近所に外出するような近距離の外出はもとより、旅行等の長距離の外出においても、バッテリ駆動可搬型呼吸用気体供給装置のバッテリ切れの不安を解消でき、予備バッテリの携行や大型バッテリの使用を回避でき、患者が安心して外出できるようになる。
【図面の簡単な説明】
【図１】本発明に係るバッテリ駆動可搬型呼吸用気体供給装置の構造をモデル的に表した図である。
【図２】本発明に係るバッテリ手配システムのモデル図である。
【図３】本発明に係るバッテリ手配方法を説明するためのフローチャートである。
【符号の説明】
１１    バッテリ駆動可搬型呼吸用気体供給装置
１２    吸着剤
１３    吸着筒
１４    コンプレッサ
１５    流路切替弁
１６    サージタンク
１７    流量設定器
１８    加湿器
１９    鼻カニューラ
２０    冷却ファン
２０１  バッテリ駆動可搬型呼吸用気体供給装置
２０２  特定情報検出装置
２０３  バッテリ情報サービス装置
２０４  人工衛星
２０５  携帯電話
２０６  バッテリステーション
２０７  バッテリステーションの情報通信端末
２０８  充電済みバッテリ（交換用バッテリ）
２０６Ａ  選択されたバッテリステーション
２０７Ａ  選択されたバッテリステーションの情報通信端末
２０８Ａ  選択されたバッテリステーションの交換用バッテリ
２０９    充電済みバッテリを配達する車両
【図１】
2004298326.tif 000002
【図２】
2004298326.tif 000003
【図３】
2004298326.tif 000004